(57)【要約】      （修正有）【課題】集配人は既設のカセットを外し、新規なカセットを装着する交換作業で集配が済み、錠鍵装置が付いているため、内部の紙幣は本部で鍵を使用しない限り、取り出すことはできず、セキュリティが強固となる。また、作業が単純化されるため、手間と時間を大幅に節減する事ができる。【解決手段】紙幣挿入口と連通する紙幣搬送路をスタッカボックス１に内蔵された一対の断面Ｓ字状の紙幣ガイドバー２の溝部へ連通させ、その紙幣ガイドバーの相互に対向する方向への回転によって、紙幣を放出し、スプリング７で附勢された受プレート８面上へ順次紙幣を積層収納していく紙幣処理装置であって、前記したスタッカボックスをカセットとしてフロントパネルに対し着脱自在としてあることとする。【選択図】図２
2009211469.tif 000002
【特許請求の範囲】
【請求項１】
紙幣挿入口と連通する紙幣搬送路をスタッカボックスに内蔵された一対の断面Ｓ字状の紙幣ガイドバーの溝部へ連通させ、その紙幣ガイドバーの相互に対向する方向への回転によって、紙幣を放出し、スプリングで附勢された受プレート面上へ順次紙幣を積層収納していく紙幣処理装置であって、前記したスタッカボックスをカセットとしてフロントパネルに対し着脱自在としてあることを特徴とする紙幣処理装置。
【請求項２】
前記したカセットとしてのスタッカボックスはベースプレートに装着されるケーシングと、そのケーシングに一体的に付設されたカバープレートを少なくとも有し、前記した紙幣ガイドバーと、この紙幣ガイドバーを回転駆動させるモータ及びギア機構はケーシング内に収納されていることを特徴とする請求項１に記載の紙幣処理装置。
【請求項３】
前記した紙幣挿入口はフロントマスクに形成され、前記した紙幣搬送路はこのフロントマスクと一体的に構成される装着部に形成され、この装着部はベースプレートの一部に装備されていることを特徴とする請求項１または請求項２に記載の紙幣処理装置。
【請求項４】
前記したカバープレートはケーシングに対して枢動して開閉されるものとし、カバープレートとケーシングとの間には錠鍵機構が設けられていることを特徴とする請求項１、請求項２または請求項３に記載の紙幣処理装置。
【請求項５】
前記した装着部にはカセットとしてのスタッカボックスが取り付けられた際、これを抑止するストッパが備えられていることを特徴とする請求項３または請求項４に記載の紙幣処理装置。
【請求項６】
前記したベースプレートとカセットとしてのスタッカボックスは屈曲したロックバネによって係合支持されることを特徴とする請求項１、請求項２、請求項３、請求項４または請求項５に記載の紙幣処理装置。
【請求項７】
前記したベースプレートに対してカセットとしてのスタッカボックスは電気的にヒンジ型のコネクタで接続されていることを特徴とする請求項６に記載の紙幣処理装置。
【請求項８】
前記したベースプレートはジャム時にカセットとしてのスタッカボックスを装着した状態で枢動され、そのベースプレートとフロントパネルとは脱落を防止し、枢動を可能とする長孔を形成したストッパをその一側面に備えていることを特徴とする請求項１、請求項２、請求項３、請求項４、請求項５、請求項６または請求項７に記載の紙幣処理装置。
【発明の詳細な説明】
【技術分野】
【０００１】
本発明は紙幣処理装置、特に自動販売機、自動貸出機、両替機等の無人稼動機械にあって機械の前扉に付設され、紙幣を受入れ、蓄積収納するための紙幣処理装置に関する。
【背景技術】
【０００２】
一般的に、前記した紙幣処理装置は自動販売機等の機械の前扉に付設され、通常、少なくとも紙幣の挿入口が形成されているフロントマスクが外面に露呈され、この紙幣の挿入口に設けられている光学系のセンサーによって紙幣の挿入を検知し、搬送系のメカニズムが起動されて、挿入された紙幣をローディングする。
【０００３】
ローディングされた紙幣は搬路を通ってスタッカ内に順次収納されていくが、このスタッカ内には各々、紙幣の両縁をガイドする一対の断面Ｓ字状をした回転ガイドバーが設けられ、この回転ガイドバーが同期して相互に対向方向へ半回転することで、スプリングで附勢されている受板に対して、紙幣を押し付け、順次に紙幣をこの受板に対して積層していくことで収納がなされる。
【０００４】
また、従来のスタッカはボックス状に形成され、内部の紙幣の取り出しやジャム時の修復作業のため、このスタッカは自動販売機等の前扉に取り付けられるフロントパネルに対し、下端を枢支してあり、傾倒させる事ができるようになっている。また、ラッチ手段を介して開閉自在としたカバー（蓋体）が設けられ、このカバーを開けることで内部の紙幣を取り出し、集配し、本部に持ち帰るシステムとされていた。
【０００５】
そのため、時として、集配人によってスタッカ内の紙幣が数枚単位で窃取されてしまう事態が生じてしまい、その集配人に対してのセキュリティがなされていないのが実情である。
【特許文献１】本願発明に関し、出願人は先行する技術文献を調査したが、格別に本願発明と類似し、関連すると思われる文献は発見できなかった。
【発明の開示】
【発明が解決しようとする課題】
【０００６】
本発明が解決しようとする問題点は、従来の紙幣処理装置にあっては、集配人による紙幣の回収時におけるセキュリティが全く考慮されていなかったという点であり、また、従来は自動販売機等の機械の前扉を開け、作業を行ない、再び通常の稼動状態に復帰させるまでの手間と時間が非常にかかり、作業効率が悪くなっているという点である。
【課題を解決するための手段】
【０００７】
この問題点を解決するために、本発明に係る紙幣処理装置は紙幣挿入口と連通する紙幣搬送路をスタッカボックスに内蔵された一対の断面Ｓ字状の紙幣ガイドバーの溝部へ連通させ、その紙幣ガイドバーの相互に対向する方向への回転によって、紙幣を放出し、スプリングで附勢された受プレート面上へ順次紙幣を積層収納していく紙幣処理装置であって、前記したスタッカボックスをカセットとしてフロントパネルに対し着脱自在としてあることを特徴とし、前記したカセットとしてのスタッカボックスはベースプレートに装着されるケーシングと、そのケーシングに一体的に付設されたカバープレートを少なくとも有し、前記した紙幣ガイドバーと、この紙幣ガイドバーを回転駆動させるモータ及びギア機構はケーシング内に収納されていることを特徴としている。
【０００８】
また、本発明に係る紙幣処理装置は前記した紙幣挿入口はフロントマスクに形成され、前記した紙幣搬送路はこのフロントマスクと一体的に構成される装着部に形成され、この装着部はベースプレートの一部に装備されていることを特徴とし、前記したカバープレートはケーシングに対して枢動して開閉されるものとし、カバープレートとケーシングとの間には錠鍵機構が設けられていることを特徴とし、前記した装着部にはカセットとしてのスタッカボックスが取り付けられた際、これを抑止するストッパが備えられていることを特徴としている。
【０００９】
さらに、本発明に係る紙幣処理装置は前記したベースプレートとカセットとしてのスタッカボックスは屈曲したロックバネによって係合支持されることを特徴とし、前記したベースプレートに対してカセットとしてのスタッカボックスは電気的にヒンジ型のコネクタで接続されていることを特徴とし、前記したベースプレートはジャム時にカセットとしてのスタッカボックスを装着した状態で枢動され、そのベースプレートとフロントパネルとは脱落を防止し、枢動を可能とする長孔を形成したストッパをその一側面に備えていることを特徴としている。
【発明の効果】
【００１０】
本発明に係る紙幣処理装置は上記のように構成されている。即ち、スタッカボックスをカセットとし、ベースプレートに対して着脱、交換自在としてあるため、集配人は既設のカセットを外し、新規なカセットを装着する交換作業で集配が済み、そのカセットとしてのスタッカボックスには錠鍵装置が付いているため、内部の紙幣は本部で鍵を使用しない限り、取り出すことはできず、セキュリティが強固となる。また、作業が単純化されるため、手間と時間を大幅に節減する事ができる。
【発明を実施するための最良の形態】
【００１１】
図面として示し、実施例で説明したように構成することで実現した。
【実施例１】
【００１２】
次に、本発明の好ましい実施の一例を図面を参照して説明する。図１は本発明におけるスタッカボックス（カセット）を示す平面図、図２は同じく機構を示す底面図、図３は同じくフロントパネルを示す平面図、図４は同じく正面図、図５は同じく側面図、図６は同じくベースプレートを示す平面図、図７は同じく正面図、図８は同じく側面図、図９は同じく第一ストッパを示す図、図１０は同じく第二ストッパを示す図、図１１は同じくバックパネルを示す正面図、図１２は同じく側面図、図１３は同じくバネホルダーを示す正面図、図１４は同じく側面図、図１５は同じくロックバネを示す正面図、図１６は同じく側面図、図１７は同じくロックプレートを示す図、図１８は同じくカバープレートを示す平面図、図１９は同じく側面図、図２０は同じく正面図、図２１は同じくロックプレートを示す図、図２２は取り付け状態を示す概念図、図２３はカセットの取り外し状態を示す概念図、図２４は同じくベースプレートの開口状態を示す概念図、図２５は同じくカセットの開蓋状態を示す概念図、図２６は同じくヒンジ型のコネクタを示す図である。
【００１３】
これらの図にあって１はスタッカボックス（カセット）を示しており、このスタッカボックス（カセット）１は上面を開口した略直方体のケーシングとされている。このスタッカボックス（カセット）１の長手方向に沿った両サイドには断面を略Ｓ字状とした一対のガイドバー２、２がその両端を軸支されて相互に対向方向へ回転自在に内蔵されている。また、このガイドバー２、２間にはこのガイドバー２、２の回転駆動源となるモータ３が備えられており、このモータ３のモータ軸に備えられたギアと連動ギア４を介して相互に噛合する伝動ギア５、５が噛合され、この伝動ギア５、５を各々対向方向（ここでは外方方向）に回転させるようになっている。
【００１４】
また、この伝動ギア５、５は前記したガイドバー２、２の一端の支軸に取り付けられたギア６、６と噛合され、このギア６、６を図中の矢印方向に回転させ、この回転（１８０度）によってガイドバー２、２のガイド溝２ａ、２ａに両縁を入れられた紙幣Ｂはスプリング７で常時前方へ附勢されている受板８へ押し付けられ、ガイドバー２、２の回転が停止した状態で、そのガイドバー２、２と受板８間で紙幣Ｂを挟持することとなる。この動作が繰り返され、紙幣Ｂは複数枚が積層ストックされていくこととなる。尚、図中９は後述するカバープレートとの関係でそのカバープレートの開閉状態を検出するマイクロスイッチで、通常、モータ３やギア群は保護カバーで覆われた状態とされ、この保護カバーはガイドバー２、２間に延設される。
【００１５】
一方、前提として、このスタッカボックス（カセット）１は後述するベースプレートと共に、自動販売機の前扉Ｄに対し、これも後述するフロントパネルを介して装着される。前扉Ｄの外面にはフロントマスク１０が露呈され、このフロントマスク１０に紙幣の挿入口が形成され、この挿入口には前記したように光学系のセンサーが配備され、そのセンサーが紙幣の挿入を検知すると、ローディングのためのメカニズム（搬送系）が駆動される。
【００１６】
前記した挿入口は装着部１１内に設けられたローラやベルトで形成される搬路と連通しており、この搬路は前記したガイドバー２、２のガイド溝２ａ、２ａと連通され、紙幣Ｂを順次搬入していく。この最終的なガイドバー２、２への搬入は一対のベルトが想定される。
【００１７】
また、図中１２は前扉Ｄにその裏側から取り付けられるフロントパネルであり、このフロントパネル１２には前記したフロントマスク１０が貫通突出される透孔１３が形成され、上下部位には取り付けのためのフランジ１４、１４が形成され、そのフランジ１４にはピン挿通用のブラケット１５、１５‥も形成され、その装着や取り外し作業を容易なものとしている。
【００１８】
さらに、図中１６は前記したフロントパネル１２に重合してセットされるベースプレートであり、このベースプレート１６にはフロントパネル１２と貫通してフロントマスク１０の挿入口からの紙幣が搬入される透孔１７が形成されており、このベースプレート１６にはフロントパネル１２に枢支するためのブラケット１８、１８が形成されている。この枢動によって図２４に示すように、このベースプレート１６ごとフロントパネル１２から開口させ、このベースプレート１６の一部に設けられる操作用の蓋片１９を開ける事ができる。尚、ベースプレート１６ごとフロントパネル１２から枢動させる際にはこのベースプレート１６に取り付けられるフロントマスク１０も同時に追従することとなる。
【００１９】
そして、このベースプレート１６には種々の規制をするための回路基板と前記したガイドバー２、２へ紙幣Ｂを送り込むための一対のベルト等が装備されることとなり、スタッカボックス（カセット）１には、このベルトと対応させた逃げの切り欠きを形成させてやると良い。
【００２０】
一方、図中２９は前記したスタッカボックス（カセット）１の上面開口を開閉するため、そのスタッカボックス（カセット）１の一縁に枢支されるカバープレートである。このカバープレート１９は枢支部分がコーナーを切り欠いた舌片２０が一体に形成されており、この舌片２０と対向側にはスタッカボックス（カセット）１の底面開口を閉塞する被覆部２１が一体に形成されている。この被覆部２１の側壁面の中央には錠の取り付け部２８が形成されている。
【００２１】
また、この被覆部２１の内面にはロックプレート２２が取り付け固定される。このロックプレート２２にはスタッカボックス（カセット）１の側壁面の内面間に嵌合して止着を行なう舌片２３が備えられている。即ち、スタッカボックス（カセット）１に対し、カバープレート１９は枢支されるが、被覆部２１はこのロックプレート２２によって位置決め固定され、オープンする時は、このロック状態を外してなされることとなる。
【００２２】
そして、このカバープレート２９の被覆部２１の錠の取り付け部２８とスタッカボックス（カセット）１の覆われた端部間には通常錠２４が掛けられ、カバープレート２９はこの錠２４を本部に用意されている鍵によって外さない限り、オープンさせることはできないようになっており、セキュリティを確保させている。なお、この錠２４は装着のためのスペースを考慮して、極薄型のシリンダー錠等が想定される。
【００２３】
前記したカバープレート２９を備えたスタッカボックス（カセット）１は前記したフロントパネル１２に装着されたベースプレート１６に対して全体を着脱可能とし、交換を自在なものとしている（図２３）。このベースプレート１６とスタッカボックス（カセット）１との着脱は両側面に設けられたロックバネ２５とロックプレート２６とによりなされる。
【００２４】
ロックバネ２５は止着部２５ａに対し、クランク状に屈曲させた軸部２５ｂを形成し、その軸部２５ｂの先端に約６０度屈曲させた係合爪部２５ｃを形成したものとなっており、このロックバネ２５はホルダー２６に止着され、このホルダー２６をスタッカボックス（カセット）１もしくはベースプレート１６の両側面に固着する。ロックバネ２５の係合爪部２５ｃはホルダー２６の窓孔２６ａから出入されることとなる。尚、このホルダー２６もロックバネ２５と略相似状とした屈曲形状となっている。
【００２５】
このロックバネ２５に対応した位置でベースプレート１６もしくはスタッカボックス（カセット）１の両側面にはロックバネ２５の係合爪部２５ｃが係合されて、位置決めロックするロックプレート２６が止着される。即ち、係合爪部２５ｃの屈曲基端がロックプレート２６の一縁と係合してロック状態とされ、スタッカボックス（カセット）１をベースプレート１６から取り外す際は枢動させることで、このロックを解除し、取り付ける時は、その逆作業を行ない、クリック感を伴なってロック状態とすることとなる。
【００２６】
また、このカセットボックス（カセット）１をベースプレート１６に装着した際に、装着部１１とベースプレート１６及びスタッカボックス（カセット）１は紙幣Ｂを搬入する状態で連接されるが、前扉Ｄを閉めた際の衝撃等で、スタッカボックス（カセット）１が離脱してしまう事がないように、装着部１１の裏面には左右にスイングする状態のストッパ２７が上端のピン穴２７ａによって吊持されており、装着時にこのストッパ２７を垂らすことで衝撃による離脱を抑止する。スタッカボックス（カセット）１を外す時はこのストッパ２７を左右いずれかにずらし、抑止状態を解除して行なうこととなる。
【００２７】
さらに、図中３０はベースプレート１６をジャム時にフロントパネル１２に対して枢動開口した時に、脱落を防止するストッパである。このストッパ３０はベースプレート１６もしくはフロントパネル１２の一側面にピン穴３０ａで枢支されるとともに長孔３０ｂにもピンを嵌め、所定角度の拡開を図ったものとなっている。
【００２８】
そして、図中３１はバックパネルを示し、スタッカボックス（カセット）１のカバープレート２９の被覆部２１の対向面に取り付けられる。このバックパネル３１には装着部１１への嵌合位置決め用の切り欠き３１ａとその切り欠きによって形成される係止片３１ｂが形成されて装着部１１との係合がなされる。尚、このバックパネル３１はベースプレート１６との間に約０．７ｍｍ程度の紙幣Ｂの通過用隙間を形成して装着されるので、紙幣Ｂの搬入に影響を与えることはない。
【００２９】
また、スタッカボックス（カセット）１とベースプレート１６との着脱のメカニズムは上記の構成となるが、ベースプレート１６に設けられる回路基板との電気的な情報交信は図２６として示すようなヒンジ型のコネクタ３２が使用される。Ａは装着時の図、Ｂは傾倒させた時の図を示し、このコネクタ３２を使用することでスタッカボックス（カセット）１を枢動させて取り外したり、また、新規なスタッカボックス（カセット）１を装着する際にもワンタッチ作業となり、しかもこのコネクタ３２は左右のズレを吸収して嵌合されるため嵌装時の作業が非常に容易となる。
【００３０】
そして、かかる構成とした紙幣処理装置は、必要に応じてフロントパネル１２の一部に、非接触式ＩＣチップによる自動精算用の読み取り部を設けておくことも可能で、その場合、当然に紙幣の収納枚数等と併せて、本部との連絡ラインにもこのＩＣカードの対応が加味されることとなる。また、図中３３はカバープレート２９の表面に設けられる売上金ジャーナルで、この売上金ジャーナル３３は強靭なプラスチック製の袋体からなり、この袋体に、特に売上金に関するデータを順次記載する票を出入自在に備えるものとなる。
【産業上の利用可能性】
【００３１】
本実施例に係る紙幣処理装置は上記のように構成されている。この実施例では自動販売機への装備を想定しているが、この自動販売機で取り扱う商品は限定されることはなく、また、その他、ゲーム媒体や練習用ゴルフボール等の自動貸出機、両替機にも応用して実施できることは勿論である。
【００３２】
また、本発明に係る紙幣処理装置はガイドバー２、２を駆動させるためのモータ３や伝動ギア５、５をスタッカボックス（カセット）１内ではなく、ベースプレート１６あるいはフロントパネル１２側に固定設置させる構成とすることも可能で、係る構成とすることで、着脱交換されるスタッカボックス（カセット）１の数に対応させてのモータ３や伝動ギア５、５を用意する必要性がなくなり、その分コストを低廉化させる事ができる。
【００３３】
係る構成とした場合、スタッカボックス（カセット）１の着脱は水平方向への移動となり、スタッカボックス（カセット）１の上下面にスライドスナップタイプのロック機構を設け、スタッカボックス（カセット）１の両側面には片手で掴み易く、また、滑り止めのための指当て凹部やローレット等を形成しておくと良い。さらに、伝動ギア５、５とガイドバー２のギア６、６との噛合を検知確認するためのセンサーも設けることとなる。
【図面の簡単な説明】
【００３４】
【図１】本発明におけるスタッカボックス（カセット）を示す平面図である。
【図２】機構を示す底面図である。
【図３】フロントパネルを示す平面図である。
【図４】正面図である。
【図５】側面図である。
【図６】ベースプレートを示す平面図である。
【図７】正面図である。
【図８】側面図である。
【図９】第一ストッパを示す図である。
【図１０】第二ストッパを示す図である。
【図１１】バックパネルを示す正面図である。
【図１２】側面図である。
【図１３】バネホルダーを示す正面図である。
【図１４】側面図である。
【図１５】ロックバネを示す正面図である。
【図１６】側面図である。
【図１７】ロックプレートを示す図である。
【図１８】カバープレートを示す平面図である。
【図１９】側面図である。
【図２０】正面図である。
【図２１】ロックプレートを示す図である。
【図２２】取り付け状態を示す概念図である。
【図２３】カセットの取り外し状態を示す概念図である。
【図２４】ベースプレートの開口状態を示す概念図である。
【図２５】カセットの開蓋状態を示す概念図である。
【図２６】ヒンジ型のコネクタを示す図である。
【符号の説明】
【００３５】
１    スタッカボックス（カセット）
２    ガイドバー
２ａ  ガイド溝
３    モータ
４    連動ギア
５    伝動ギア
６    ギア
７    スプリング
８    受板
９    マイクロスイッチ
１０  フロントマスク
１１  装着部
１２  フロントパネル
１３  透孔
１４  フランジ
１５  ブラケット
１６  ベースプレート
１７  透孔
１８  ブラケット
１９  蓋片
２０  舌片
２１  被覆部
２２  ロックプレート
２３  舌片
２４  錠
２５  ロックバネ
２５ｃ  係止爪部
２６  ロックプレート
２７  ストッパ
２８  取り付け部
２９  カバープレート
３０  ストッパ
３１  バックパネル
３２  ヒンジコネクタ
３３  売上金ジャーナル
Ｂ    紙幣
Ｄ    前扉
【図１】
2009211469.tif 000003
【図２】
2009211469.tif 000004
【図３】
2009211469.tif 000005
【図４】
2009211469.tif 000006
【図５】
2009211469.tif 000007
【図６】
2009211469.tif 000008
【図７】
2009211469.tif 000009
【図８】
2009211469.tif 000010
【図９】
2009211469.tif 000011
【図１０】
2009211469.tif 000012
【図１１】
2009211469.tif 000013
【図１２】
2009211469.tif 000014
【図１３】
2009211469.tif 000015
【図１４】
2009211469.tif 000016
【図１５】
2009211469.tif 000017
【図１６】
2009211469.tif 000018
【図１７】
2009211469.tif 000019
【図１８】
2009211469.tif 000020
【図１９】
2009211469.tif 000021
【図２０】
2009211469.tif 000022
【図２１】
2009211469.tif 000023
【図２２】
2009211469.tif 000024
【図２３】
2009211469.tif 000025
【図２４】
2009211469.tif 000026
【図２５】
2009211469.tif 000027
【図２６】
2009211469.tif 000028